(57)【要約】【課題】  ポップコーンノイズや周囲環境の変化等、各種の原因に広く対応して誤検知を防止できる赤外線式人体検知装置の提供【解決手段】  赤外線式人体検知装置１は、所定の検知領域における赤外線輻射エネルギーを検知して、当該赤外線輻射エネルギーに対応する電圧信号を出力する赤外線センサユニット１０と、電圧信号に基づいて人体の移動を判別する制御部２０と、を備える。制御部２０は、人体の移動を判別するための複数のしきい値電圧が予め設定してあり、電圧信号が一つのしきい値電圧を通過した時点を基準として、時間の計測を開始し、他のしきい値電圧を通過するまでの計測時間に基づいて、人体の移動を判別する。【選択図】      図１
2010216821.tif 000002
【特許請求の範囲】
【請求項１】
所定の検知領域における赤外線輻射エネルギーを検知して、当該赤外線輻射エネルギーに対応する電圧信号を出力する赤外線センサユニットと、前記電圧信号に基づいて人体の移動を判別する制御部と、を備えた赤外線式人体検知装置において、
前記制御部は、人体の移動を判別するための複数のしきい値電圧が予め設定してあり、前記電圧信号が一つのしきい値電圧を通過した時点を基準として、時間の計測を開始し、他のしきい値電圧を通過するまでの計測時間に基づいて、人体の移動を判別することを特徴とする赤外線式人体検知装置。
【請求項２】
前記制御部は、前記赤外線センサユニットが移動してきた人体から放射される赤外線輻射エネルギーを検知したときに、当該赤外線センサユニットから出力される電圧信号のパターンに基づき、当該電圧信号が前記一つのしきい値電圧を通過した時点から他のしきい値電圧を通過する時点までの最短時間と最長時間とを、判別基準時間として予め設定してあることを特徴とする請求項１の赤外線式人体検知装置。
【請求項３】
前記制御部は、前記赤外線センサユニットが人体の赤外線輻射エネルギー検知していない待機状態で出力される待機電圧を基準にして、当該待機電圧よりも高い電圧値となる第１のしきい値電圧と、当該第１のしきい値電圧よりも更に高い電圧値となる第２のしきい値電圧と、を予め設定してあり、
前記赤外線センサユニットから出力される電圧信号の、第１のしきい値電圧を通過した時点から第２のしきい値電圧を通過するまでの計測時間が、前記判別基準時間の範囲内に入っていたとき人体の移動を判別することを特徴とする請求項２の赤外線式人体検知装置。
【請求項４】
前記制御部は、前記赤外線センサユニットが人体の赤外線輻射エネルギー検知していない待機状態で出力される待機電圧を基準にして、当該待機電圧よりも低い電圧値となる第３のしきい値電圧と、当該第３のしきい値電圧よりも更に低い電圧値となる第４のしきい値電圧と、を予め設定してあり、
前記赤外線センサユニットから出力される電圧信号の、第３のしきい値電圧を通過した時点から第４のしきい値電圧を通過するまでの計測時間が、前記判別基準時間の範囲内に入っていたとき人体の移動を判別することを特徴とする請求項３の赤外線式人体検知装置。
【請求項５】
前記制御部は、人体の移動を判別した後、更に前記赤外線センサユニットから出力される電圧信号が前記第１のしきい値電圧を通過したとき、前記赤外線センサユニットの検知領域内に人体が存在すると判別することを特徴とする請求項３の赤外線式人体検知装置。
【請求項６】
前記制御部は、人体の移動を判別した後、更に前記赤外線センサユニットから出力される電圧信号が前記第３のしきい値電圧を通過したとき、前記赤外線センサユニットの検知領域内に人体が存在すると判別することを特徴とする請求項４の赤外線式人体検知装置。
【請求項７】
前記制御部は、ワンチップマイコンによって構成され、
当該ワンチップマイコンは、前記複数のしきい値電圧を設定して記憶する記憶部と、前記赤外線センサユニットから出力される電圧信号がしきい値電圧を通過したか否かを比較するコンパレータと、電圧信号が当該しきい値電圧を通過することによって出力する信号を受けて時間計測を実施するカウント部と、当該カウント部における時間計測に基づいて人体の移動を判別する判別処理部と、を含むことを特徴とする請求項１乃至６のいずれか一項に記載の赤外線式人体検知装置。
【発明の詳細な説明】
【技術分野】
【０００１】
この発明は、人体から放射される赤外線輻射エネルギーを赤外線センサにより検知して、人体の移動や存在を判別する赤外線式人体検知装置に関する。
【背景技術】
【０００２】
この種の赤外線式人体検知装置は、検知領域内の赤外線輻射エネルギーを吸収し、このエネルギーの変化量に基づき人体の移動等を判別して、照明や電気機器等を自動的にオン／オフする機能を備えている。
【０００３】
かかる赤外線式人体検知装置においては、従来から各種の原因により誤検知を生ずることがあり、そのたびに電気機器等が誤動作してしまうため問題となっていた。例えば、誤検知の原因にポップコーンノイズと称するノイズの発生がある。ポップコーンノイズは、焦電素子を構成する焦電体基板や回路基板等に不要な電荷が生じて、この電荷が電流として出力されることによって発生するものである。また、気温の変化や風等（以下、周囲環境ともいう）の影響も誤検知の原因となる。例えば、周囲環境の変化に伴い赤外線センサを構成する素子の表面温度が変化し、これに伴い当該素子が電圧信号を出力してしまうこともあった。
このような誤検知の原因となるポップコーンノイズや周囲環境の変化を改善することは困難である。したがって、赤外線式人体検知装置は、これらの原因の存在を前提としてその影響を排除して人体検知の高精度化を実現することが求められている。
【０００４】
特許文献１には、上記ポップコーンノイズの影響を抑制して誤検知を防止する赤外線式人体検知装置が開示されている。
特許文献１の赤外線式人体検知装置は、人体検知を行う赤外線検知素子（焦電素子）、電流／電圧変換部、第１の電圧増幅部、人体検知部の他に、ポップコーンノイズを防止する第２の電圧増幅部、ポップコーンノイズ検知部、制御部を備えている。そして、第２の電圧増幅部においてポップコーンノイズの周波数帯に対応したクロック信号を発振し、このクロック信号によるスイッチ部の制御によりポップコーンノイズの通過を防いでいる。
【先行技術文献】
【特許文献】
【０００５】
【特許文献１】特許第３６５４１５４号公報
【発明の概要】
【発明が解決しようとする課題】
【０００６】
上述した特許文献１の赤外線式人体検知装置は、ポップコーンノイズに伴う誤検知に限定して対応が図られており、その他の原因（例えば、周囲環境の変化）による誤検知についてはまったく対処できない構成となっている。
【０００７】
本発明は、このような実状に鑑みてなされたもので、ポップコーンノイズや周囲環境の変化等、各種の原因に広く対応して誤検知を防止でき、人体検知の高精度化を実現し得る赤外線式人体検知装置の提供を目的とする。
【課題を解決するための手段】
【０００８】
上記目的を達成するために、本発明は、所定の検知領域における赤外線輻射エネルギーを検知して、当該赤外線輻射エネルギーに対応する電圧信号を出力する赤外線センサユニットと、電圧信号に基づいて人体の移動を判別する制御部と、を備えた赤外線式人体検知装置において、
制御部は、人体の移動を判別するための複数のしきい値電圧が予め設定してあり、電圧信号が一つのしきい値電圧を通過した時点を基準として、時間の計測を開始し、他のしきい値電圧を通過するまでの計測時間に基づいて、人体の移動を判別することを特徴とする。
【０００９】
かかる構成によれば、電圧信号が一つのしきい値電圧を通過した時点から他のしきい値電圧を通過するまでの計測時間に基づいて、人体の移動を適正に判別することができる。例えば、ポップコーンノイズによる電圧信号は、一つのしきい値電圧を通過した時点から他のしきい値電圧を通過するまでの時間が、人体の移動に比べて非常に短いため、この計測時間を判別することで、人体の移動かポップコーンノイズかを適正に区別することができる。同様に、周囲環境の変化によって発生するノイズの電圧信号は、一つのしきい値電圧を通過した時点から他のしきい値電圧を通過するまでの時間が、人体の移動に比べて充分に長いため、この計測時間を判別することで、人体の移動か周囲環境の変化によるノイズかを適正に区別することができる。
したがって、赤外線式人体検知装置は、ポップコーンノイズや周囲環境の変化等、各種の原因に広く対応して誤検知を防止でき、人体検知の高精度化を実現することができる。
【００１０】
また、制御部は、赤外線センサユニットが移動してきた人体から放射される赤外線輻射エネルギーを検知したときに、当該赤外線センサユニットから出力される電圧信号のパターンに基づき、当該電圧信号が一つのしきい値電圧を通過した時点から他のしきい値電圧を通過する時点までの最短時間と最長時間とを、判別基準時間として予め設定してあることが好ましい。このように判別基準時間が予め設定してあれば、計測時間と判別基準時間とを比較して、人体の移動を容易に判別することができる。なお、判別基準時間は、赤外線センサの感度や検知目的等に応じて、適宜設定することが好ましい。
【００１１】
例えば、人体の移動を検知する具体的な構成として、制御部は、赤外線センサユニットが人体の赤外線輻射エネルギーを検知していない待機状態で出力される待機電圧を基準にして、当該待機電圧よりも高い電圧値となる第１のしきい値電圧と、当該第１のしきい値電圧よりも更に高い電圧値となる第２のしきい値電圧と、を予め設定してあり、
赤外線センサユニットから出力される電圧信号の、第１のしきい値電圧を通過した時点から第２のしきい値電圧を通過するまでの計測時間が、判別基準時間の範囲内に入っていたとき人体の移動として判別することができる。
【００１２】
また、赤外線センサユニットは、赤外線輻射エネルギーを電流に変換する素子として、二組（または四組）の焦電素子の電極を逆向きの極性をもって接続するデュアル（または、クワッド）素子を採用することにより、上記の人体の移動を検知する構成に加えて、制御部は、赤外線センサユニットが人体の赤外線輻射エネルギー検知していない待機状態で出力される待機電圧を基準にして、当該待機電圧よりも低い電圧値となる第３のしきい値電圧と、当該第３のしきい値電圧よりも更に低い電圧値となる第４のしきい値電圧と、を予め設定してあり、
赤外線センサユニットから出力される電圧信号の、第３のしきい値電圧を通過した時点から第４のしきい値電圧を通過するまでの計測時間が、判別基準時間の範囲内に入っていたとき人体の移動を判別することができる。
【００１３】
また、制御部は、人体の移動を判別した後、更に赤外線センサユニットから出力される電圧信号が第１のしきい値電圧を通過したとき、赤外線センサユニットの検知領域内に人体が存在すると判別する構成としてもよい。このように検知領域において人体の移動を検知した後、第１のしきい値電圧によって人体の存在を判別する構成を採用すれば、例えば赤外線センサユニットをトイレに設置し、トイレの照明スイッチに連動させることで、人が入室しているときのみ、照明機器を継続して点灯させることができる。その結果、ユーザーにスイッチ操作を要求することがなく、且つ照明の消し忘れ等を防ぎ、省エネルギー化につなげることができる。
【００１４】
さらに、赤外線センサがデュアル（または、クワッド）素子を採用している場合は、上記と同様に、制御部が、人体の移動を判別した後、更に赤外線センサユニットから出力される電圧信号が第１のしきい値電圧を通過したとき、または、第３のしきい値電圧を通過したとき、赤外線センサユニットの検知領域内に人体が存在すると判別することもできる。
【００１５】
さらにまた、制御部は、複数のしきい値電圧を設定して記憶する記憶部と、赤外線センサユニットから出力される電圧信号がしきい値電圧を通過したか否かを比較するコンパレータと、電圧信号が当該しきい値電圧を通過することによって出力する信号を受けて時間計測を実施するカウント部と、当該カウント部における時間計測に基づいて人体の移動を判別する判別処理部と、を含むワンチップマイコンによって構成することができる。
【００１６】
このように制御部をワンチップマイコンによって構成することで、ポップコーンノイズの影響を防止するための構成（例えば、ポップコーンノイズの検出を行う回路やフィルタ等）を設ける必要がなくなり、部品点数を少なくすることができる。その結果、回路をシンプルに構成することが可能となり、装置の製造工程を簡易化し、作業性の向上や製造コストの低減化等を図ることができる。
【発明の効果】
【００１７】
以上、本発明によれば、赤外線式人体検知装置は、ポップコーンノイズや周囲環境の変化等、各種の原因に広く対応して誤検知を防止でき、ひいては人体検知の高精度化を実現するとともに、様々な場所や目的に対応可能な高い汎用性を備えることが可能となる。
【図面の簡単な説明】
【００１８】
【図１】本発明の実施形態に係る赤外線式人体検知装置を示すブロック図である。
【図２】本発明の実施形態に係る赤外線式人体検知装置において赤外線ユニットが出力する電圧信号及びノイズを示す図である。
【図３】本発明の実施形態に係る赤外線式人体検知装置の各種の検知要因を示す表である。
【図４】本発明の実施形態に係る赤外線式人体検知装置において、人体の移動の判別を行う待機状態ルーチンのフローチャートである。
【図５】本発明の実施形態に係る赤外線式人体検知装置において、人体の移動の判別を行うプラス側ポップコーンノイズ判別ルーチンのフローチャートである。
【図６】本発明の実施形態に係る赤外線式人体検知装置において、人体の移動の判別を行うプラス側周囲環境ノイズ判別ルーチンのフローチャートである。
【図７】本発明の実施形態に係る赤外線式人体検知装置において、人体の移動の判別を行うマイナス側ポップコーンノイズ判別ルーチンのフローチャートである。
【図８】本発明の実施形態に係る赤外線式人体検知装置において、人体の移動の判別を行うマイナス側周囲環境ノイズ判別ルーチンのフローチャートである。
【図９】本発明の実施形態に係る赤外線式人体検知装置において人体の移動と存在を検知した場合の通常検知モードと微動検知モードの電圧信号を示す図である。
【図１０】本発明の実施形態に係る赤外線式人体検知装置において人体の存在の判別を行う微動検知モードのフローチャートである。
【発明を実施するための形態】
【００１９】
以下、この発明の実施形態について図面を参照して詳細に説明する。図１は、本実施形態に係る赤外線式人体検知装置を示すブロック図である。
図１に示すように、赤外線式人体検知装置１は、所定の検知領域における赤外線輻射エネルギーを吸収して、当該赤外線輻射エネルギーに対応する電圧信号を出力する赤外線センサユニット１０と、当該電圧信号に基づいて人体の移動を検知する制御部２０と、を備えている。この赤外線式人体検知装置１は、例えばトイレの室内等に設置される。そして、赤外線センサユニット１０が室内への人体の入室（以下、移動ともいう）を検知し、この装置に接続した照明機器に制御部２０から人体検出信号を出力することで、照明のオン／オフを切り換えることができる。
【００２０】
赤外線式人体検知装置１の赤外線センサユニット１０は、フレネルレンズ１１と、赤外線センサ１２と、電圧増幅部１３とを含む構成である。フレネルレンズ１１は、赤外線センサ１２の前面に設置され、赤外線輻射エネルギーを集束して裏面の赤外線センサ１２に照射する。このフレネルレンズ１１は、赤外線式人体検知装置１の検知領域に応じて、適切な水平視野及び垂直視野を有したものを採用することが好ましい。
【００２１】
赤外線センサ１２は、焦電効果を利用した熱型センサを適用しており、センサ内には強誘電体からなる焦電素子、高インピーダンスからなるＦＥＴ（電界効果トランジスタ）、抵抗等が備えられている（ともに図示せず）。焦電素子は、検知領域内の赤外線輻射エネルギーを光束として吸収すると、その温度変化による自発分極によって電荷を生じさせる。ＦＥＴは、焦電素子によって生じたエネルギーを高インピーダンスで受け、低インピーダンスの電圧信号をソース側に取り出す。これにより赤外線センサ１２は、赤外線輻射エネルギーの変化量に応じた電圧信号を電圧増幅部１３に出力する。
【００２２】
なお、本実施形態の焦電素子には、二組（または、四組）の電極対を逆向きの極性をもって接続したデュアル（または、クワッド）素子が適用されている。デュアル素子は、二組の焦電素子に均一な赤外線輻射エネルギーが照射される待機状態において、互いに電荷を発生させることで打ち消しあう。しかし、人や動物が赤外線センサ１２の検知領域に入った検知状態では、二組の焦電素子に照射される赤外線輻射エネルギーが均等でなくなるため、変化を示した電圧信号を電圧増幅部１３に出力することになる。
【００２３】
電圧増幅部１３は、赤外線センサ１２から出力された微弱な電圧信号を、設定した電圧利得に増幅して制御部２０に出力する。本実施形態では、作動増幅回路からなるオペアンプを用いて、微弱な電圧信号を１万倍程度に増幅している。
【００２４】
図２は、本実施形態に係る赤外線式人体検知装置において赤外線ユニットが出力する電圧信号及びノイズを示す図であり、（ａ）（ｄ）は人体検知時の電圧信号、（ｂ）（ｅ）はポップコーンノイズ、（ｃ）（ｆ）は周囲環境の変化にともなうノイズである。
ここで、上記の赤外線センサユニット１０が出力する電圧信号について説明する。赤外線センサユニット１０は、人体等の赤外線輻射エネルギーを検知していない待機状態で、電圧増幅部１３から電源電圧（５Ｖ）の１／２にあたる２．５Ｖを待機電圧として出力している。なお、このとき赤外線センサユニット１０は、ホワイトノイズによって微弱な振幅を繰り返す電圧信号を出力する。赤外線センサ１２が検知領域内で人体等の赤外線輻射エネルギーを検知した場合は、焦電素子の焦電効果によって、図２（ａ）に示すように、上下に大きく振幅し、且つある程度の時間幅を有した電圧信号が出力されることになる。
【００２５】
また、赤外線センサユニット１０は、焦電素子を構成する焦電体基板や回路基板等に不要な電荷が生じることで、図２（ｂ）に示すように、ポップコーンノイズを電圧信号として出力してしまう。このポップコーンノイズは、人体等の赤外線輻射エネルギーを検知した場合と比較して、ピーク値に達するまでの時間幅が非常に短くなっている。
【００２６】
さらに、赤外線センサユニット１０は、気温の変化や風などの周囲環境に影響を受けて、焦電素子の表面温度が変化し、図２（ｃ）に示すように、ノイズ（以下、周囲環境ノイズという）として待機電圧から徐々に離れていく電圧信号を出力することがあった。この周囲環境ノイズは、人体等の赤外線輻射エネルギーを検知した場合と比較して、ピーク値に達するまでの時間幅が充分に長くなる。
なお、赤外線センサユニット１０が出力するノイズは、上記の他にも、例えば携帯電話による強電界輻射の影響を受けて生じる場合、あるいは大きなホワイトノイズが偶発的に生じる場合などもある。
【００２７】
従来、赤外線式人体検知装置は、一般的な人体の移動等の検知方法として、図２（ａ）に示すように、待機電圧に対してプラス側（またはマイナス側）にしきい値電圧を設定し、このしきい値電圧を超えた（または下がった）場合に、人体の移動を検知していた。しかし、この場合は、図２（ｂ）（ｃ）に示すようにポップコーンノイズや周囲環境ノイズもしきい値電圧を通過して誤検知することになる。このため、通常はハイパスフィルタやローパスフィルタを電圧増幅部１３とともに設けて、移動してきた人体から放射される赤外線輻射エネルギー以外の周波数帯域のノイズを排除していた。
しかしながら、ハイパスフィルタやローパスフィルタを構成するキャパシタ（コンデンサ）等は、必要とされる容量成分の大きさの外付け部品が用いられるため、大きな回路面積を必要とし、装置の大型化を招いていた。
【００２８】
本実施形態の赤外線式人体検知装置１は、上記のようなフィルタを設けず、赤外線センサユニット１０が出力する電圧信号を、そのまま制御部２０となるワンチップマイコンに入力している。そして、制御部２０において、予め設定してある四つのしきい値電圧を用いて、入力した電圧信号の波の時間を分析し、各種ノイズを排除する構成となっている。
【００２９】
各しきい値電圧は、移動してきた人体から放射される赤外線輻射エネルギーを赤外線センサユニット１０が検知したときに、この赤外線センサユニット１０から出力される電圧信号のパターンに基づいて設定される。本実施形態では、図２（ｄ）に示すように、待機電圧（２．５Ｖ）を基準として、待機電圧よりも高い電圧値となる第１のしきい値電圧（２．６５Ｖ）と、この第１のしきい値電圧よりも更に高い電圧値となる第２のしきい値電圧（２．８１Ｖ）と、待機電圧よりも低い電圧値となる第３のしきい値電圧（２．３４Ｖ）と、この第３のしきい値電圧よりも更に低い電圧値となる第４のしきい値電圧（２．１８Ｖ）と、が設定してある。
なお、第１、第３のしきい値電圧は、制御部２０に入力される電圧信号の微少な振幅（ホワイトノイズ）が収まるような電圧値に設定してある。
【００３０】
ここで、制御部２０に入力される電圧信号は、人体等の赤外線輻射エネルギーの検知と、ポップコーンノイズとを比較した場合、第１のしきい値電圧を通過した時点から第２のしきい値電圧を通過するまで（または第３のしきい値電圧を通過した時点から第４のしきい値電圧を通過するまで）の時間は、ポップコーンノイズのほうが短くなる（図２（ｄ）（ｅ）参照）。一方、人体等の赤外線輻射エネルギーの検知と、周囲環境ノイズとを比較した場合、第１のしきい値電圧を通過した時点から第２のしきい値電圧を通過するまで（または第３のしきい値電圧を通過した時点から第４のしきい値電圧を通過するまで）の時間は、周囲環境ノイズのほうが長くなる（図２（ｄ）（ｆ）参照）。したがって、制御部２０は、電圧信号が第１のしきい値電圧を通過した時点から第２のしきい値電圧を通過するまで（または第３のしきい値電圧を通過した時点から第４のしきい値電圧を通過するまで）にかかる時間を判別し、これにより人体の移動か、人体以外のノイズかを判別することができる。
【００３１】
電圧信号が第１のしきい値電圧を通過した時点から第２のしきい値電圧を通過するまで（または第３のしきい値電圧を通過した時点から第４のしきい値電圧を通過するまで）の計測時間によって人体の移動を判別する方法は、例えば、電圧信号が第２のしきい値電圧を超えてから、この第２のしきい値電圧を降下するまでの計測時間によって人体の移動を判別する方法よりも高い精度となる。
【００３２】
例えば、周囲環境ノイズの電圧信号は、待機電圧から徐々に上昇（または下降）していくが、そのノイズの強さはバラバラである。このため、第２のしきい値電圧を超えて、すぐにこの第２のしきい値電圧を下降し始めることがある。このような場合、第２のしきい値電圧を超えてから、この第２のしきい値電圧を降下するまでの計測時間は、人体を検知した場合にかかる計測時間と一致し、誤検知してしまうおそれがある。
しかし、本発明では、第１のしきい値電圧を通過した時点から第２のしきい値電圧を通過するまで（または第３のしきい値電圧を通過した時点から第４のしきい値電圧を通過するまで）の電圧信号の変化を判別する方法により、上記のような誤検知を精度よく防止することができる。
【００３３】
上記の検知方法を実施するため、ワンチップマイコン（制御部２０）は、人体検知を行う内部構成として、入出力部２１と、記憶部２２と、コンパレータ２３と、カウント部２４と、判別処理部２５と、を備えている（図１参照）。このようなワンチップマイコンとしては、例えばマイクロチップ社製のＰＩＣ（Peripheral Interface Controller）マイコンなどを適用することができる。
【００３４】
入出力部２１は、ワンチップマイコンに信号を入出力するインターフェースであり、入力側に赤外線センサユニット１０が、出力側に照明機器がそれぞれ接続される。制御部２０は、入出力部２１を介して、赤外線センサユニット１０から電圧信号が入力され、且つ照明機器に対し人体検出信号を出力する。
【００３５】
また、記憶部２２には、上述した第１乃至第４のしきい値電圧の電圧値や、人体検知を判別するためのプログラム等が記憶される。なお、しきい値電圧の設定数や電圧値は、設計者が電圧信号のパターン（例えば、赤外線センサの感度や検知目的）に基づいて任意に設定することができる。
【００３６】
コンパレータ２３は、上記第１乃至第４のしきい値電圧に対し、赤外線センサユニット１０から入力された電圧信号が通過したか否かを比較する機能を備えている。なお、本実施形態における電圧信号の通過とは、電圧信号が待機電圧よりもプラス側で変化した場合は、設定したしきい値電圧を超えたことを指し、電圧信号が待機電圧よりもマイナス側で変化した場合は、設定したしきい値電圧よりも下がったことを指している。
【００３７】
電圧信号と比較するしきい値電圧は、人体検知を判別するフローに従って適宜呼び出される。コンパレータ２３は、判別処理部２５からの比較タイミングに応じて、電圧信号と呼び出されたしきい値電圧とを比較し、検出信号を判別処理部２５に出力する。本実施形態では、比較対象が第１、第２のしきい値電圧の場合は、電圧信号がしきい値電圧よりも高いと‘Ｈ’を出力し、低いと‘Ｌ’を出力する。一方、比較対象が第３、第４のしきい値電圧の場合は、電圧信号がしきい値電圧よりも低いと‘Ｈ’を出力し、高いと‘Ｌ’を出力する。
【００３８】
カウント部２４は、１ｍｓまたは１０ｍｓのクロックパルスを発振し、該クロックパルスを判別処理部２５に送信する。また記憶部２２には、人体検知を判別するフローに対応した複数のカウント値が予め記憶されている。このカウント値は、人体の移動を検知する判別基準時間として、第１のしきい値電圧を通過した時点から第２のしきい値電圧を通過する（または第３のしきい値電圧を通過した時点から第４のしきい値電圧を通過する）までの時間、及び変化した電圧信号が第２のしきい値電圧（または第４のしきい値電圧）に戻るまでの出力持続平均時間等を勘案して設定する。この複数のカウント値の設定については後述する。判別処理部２５は、記憶部２２から呼び出したカウント値をレジスタに保持し、カウント部２４からのクロックパルスをもって時間計測を実施する。
【００３９】
判別処理部２５は、記憶部２２に記憶されているプログラムに従って、人体検知を判別するフローを実施する。この人体検知を判別するフローについては後述する。制御部２０は、判別処理部２５が人体を検知した場合、入出力部２１を介して人体検知信号を照明機器に出力する構成となっている。
【００４０】
図３は、本実施形態に係る赤外線式人体検知装置の各種の検知要因を示す表である。
次に、本実施形態のカウント値の設定について図３を参照して説明する。本出願人は、上述した赤外線式人体検知装置１を用いて、赤外線センサユニット１０が出力する電圧信号のパターンの解析実験を行った。
【００４１】
実験では、各種の検知要因による電圧信号について、第１のしきい値電圧を通過した時点から第２のしきい値電圧を通過するまで（または第３のしきい値電圧を通過した時点から第４のしきい値電圧を通過するまで）の計測平均時間ｔ１と、変化した電圧信号が第２のしきい値電圧（または第４のしきい値電圧）に戻るまでの出力持続平均時間ｔ２と、を測定した（図２（ｄ）乃至（ｆ）参照）。
ここで、人体の移動を検知する要因としては、検知領域を人がゆっくり歩いた場合、普通に歩いた場合、速く歩いた場合について数回の実験を繰り返し、平均時間ｔ１、ｔ２をそれぞれ求めている。また誤検知の原因になるノイズとしては、携帯電話による強電界輻射ノイズ、ホワイトノイズ、周囲環境ノイズ、ポップコーンノイズなどが考えられ、それぞれの原因についての平均時間ｔ１、ｔ２を求めている。
【００４２】
図３に示すように、人がゆっくり歩いた場合は、ｔ１が２２２ｍｓ、ｔ２が５３４ｍｓであり、人が普通に歩いた場合は、ｔ１が９７ｍｓ、ｔ２が５１２ｍｓであり、人が速く歩いた場合は、ｔ１が６２ｍｓ、ｔ２が４２５ｍｓであった。
【００４３】
さらに、携帯電話による強電界輻射ノイズは、ｔ１が１５ｍｓ、ｔ２が８０ｍｓであり、ホワイトノイズは、ｔ１が１０ｍｓ、ｔ２が９０ｍｓであり、周囲環境ノイズは、ｔ１が３０ｓであり（ｔ２は測定不可）、ポップコーンノイズは、ｔ１が０ｍｓ、ｔ２が５ｍｓであった。
【００４４】
したがって、赤外線式人体検知装置１を用いて人体を検知した場合、電圧信号が第１のしきい値電圧を通過した時点から第２のしきい値電圧を通過する（または第３のしきい値電圧を通過した時点から第４のしきい値電圧を通過する）までの計測平均時間ｔ１は、人が速く歩いた場合の６２ｍｓと、人がゆっくり歩いた場合の２２２ｍｓの間となる。また、人体の移動を検知する要因における出力持続平均時間ｔ２は、三つのパターンを平均すると約４９０ｍｓであることがわかる。
すなわち、制御部２０に入力される電圧信号は、第１のしきい値電圧を通過した時点から第２のしきい値電圧を通過する（または第３のしきい値電圧を通過した時点から第４のしきい値電圧を通過する）までの時間が、６２ｍｓ以下または２２２ｍｓ以上かかる場合には誤動作ノイズの可能性がある。
【００４５】
また、強電界輻射ノイズ、ホワイトノイズ、ポップコーンノイズを見ると、第１のしきい値電圧を通過した時点から第２のしきい値電圧を通過する（または第３のしきい値電圧を通過した時点から第４のしきい値電圧を通過する）までの計測平均時間ｔ１は、それぞれ１５ｍｓ、１０ｍｓ、０ｍｓであることから、ｔ１が１５ｍｓ以下の場合は、ほぼ、誤動作ノイズと断定することができる。よって、判別基準時間の最短時間は、この１５ｍｓと上記の人が速く歩いた場合の６２ｍｓの間となる２４ｍｓに設定し、この２４ｍｓ以上の場合は人体の移動を検知した可能性があるとプログラミングする。
【００４６】
また、周囲環境ノイズを見ると、第１のしきい値電圧を通過した時点から第２のしきい値電圧を通過する（または第３のしきい値電圧を通過した時点から第４のしきい値電圧を通過する）までの平均時間ｔ１が３０ｓであることから、上記の人が遅く動いた場合の２２２ｍｓと比べて充分に長いことが分かる。よって、判別基準時間の最長時間は、２２２ｍｓよりも僅かに長い２２４ｍｓに設定し、この２２４ｍｓ以下の場合は人体の移動を検知した可能性があるとプログラミングする。
すなわち、本実施形態の赤外線式人体検知装置は、人体の移動を判別する信号の立ち上がり（または立ち下がり）に要する時間（判別基準時間）を２４ｍｓ以上２２４ｍｓ以下としている。カウント値は、この判別基準時間と、人体検知を判別するフローをもとに適切な値に設定され、記憶部２２に記憶される。
【００４７】
なお、電圧信号は、装置と人体との距離の相関により、電圧増幅部の電圧信号の出力レベルが異なる。このため、人体の移動を検知した可能性がある電圧信号も、たまたま誤動作信号が重なり、判別基準時間に合致してしまったおそれがある。したがって本実施形態の人体検知を判別するプログラムは、誤検知をより確実に防止するために、人体の移動を検知した可能性がある電圧信号を再確認するようにしている。
【００４８】
具体的には、電圧信号が第２のしきい値電圧（または第４のしきい値電圧）を通過した後、この電圧信号が２００ｍｓまたは１５０ｍｓの間に第２のしきい値電圧（または第４のしきい値電圧）に戻るか否かを確認している。
ここで、強電界輻射ノイズ、ホワイトノイズ、ポップコーンノイズは電圧信号の出力持続平均時間ｔ２がそれぞれ８０ｍｓ、９０ｍｓ、５ｍｓであるため、第２のしきい値電圧（または第４のしきい値電圧）を通過したノイズは必ず１５０ｍｓ以内に、第２のしきい値電圧に戻ることになる。一方、人体の移動は、上述したようにｔ２の平均時間が４９０ｍｓあり、電圧信号が２００ｍｓ以上かかって第２のしきい値電圧（または第４のしきい値電圧）に戻ることになる。
したがって、人体検知を判別するプログラムがこのように信号の立ち上がり（または立ち下がり）に要する時間（判別基準時間）および人体検知して変化した電圧信号が第２のしきい値電圧（または第４のしきい値電圧）に戻るまでの出力持続平均時間ｔ２との双方の条件を満たすことを再確認することで、人体の移動であるか否かをより高精度に検知することができる。
【００４９】
図４乃至図８は、本実施形態に係る赤外線式人体検知装置において、人体の移動の判別を行うフローチャートであり、図４は人体検出ルーチン、図５はプラス側ポップコーンノイズ判別ルーチン、図６はプラス側周囲環境ノイズ判別ルーチン、図７はマイナス側ポップコーンノイズ判別ルーチン、図８はマイナス側周囲環境ノイズ判別ルーチンである。次に、本実施形態の制御部が行う人体の移動を検知するフローについて図４乃至図８を参照して説明する。
【００５０】
〔人体検出ルーチン〕
本実施形態の赤外線式人体検知装置１は、既述したようにトイレの照明機器に接続した状態で室内に設置されており、検知領域となる室内への人体の入室（移動）を検知するために待機している。この待機状態において、制御部２０には電圧増幅部から２．５Ｖの電圧信号が入力されており、人体検出ルーチンを実施している。図４に示すように、人体検出ルーチンでは、コンパレータ２３に第１のしきい値電圧（２．６５Ｖ）をセットする（ステップＳ０１）。
【００５１】
次にコンパレータ２３の出力条件、すなわち、制御部２０に入力される電圧信号が、第１のしきい値電圧または第２のしきい値電圧を越えた場合に、コンパレータ２３が検出信号として‘Ｈ’を判別処理部２５に出力するように設定する（ステップＳ０２）。
【００５２】
次に電圧信号が、現時点において第１のしきい値電圧を超えたか否かを判別する（ステップＳ０３）。第１のしきい値電圧を超えていれば、検出信号‘Ｈ’を判別処理部２５に出力する。これによって判別処理部２５はプラス側ポップコーンノイズ判別ルーチンに移る。一方、第１のしきい値電圧を超えていなければ、ステップＳ０４へ進む。
【００５３】
ステップＳ０４では、コンパレータ２３に第３のしきい値電圧（２．３４Ｖ）をセットする。次にコンパレータの出力条件、すなわち、制御部２０に入力される電圧信号が、第３のしきい値電圧または第４のしきい値電圧より下がった場合に、コンパレータ２３が検出信号として‘Ｈ’を判別処理部２５に出力するように設定する（ステップＳ０５）。
【００５４】
次に電圧信号が、現時点において第３のしきい値電圧より下がったか否かを判別する（ステップＳ０６）。第３のしきい値電圧より下がっていれば、検出信号‘Ｈ’を判別処理部２５に出力する。これによって判別処理部２５はマイナス側ポップコーンノイズ判別ルーチンに移る。一方、第３のしきい値電圧より下がっていなければ、電圧信号に変化がないことになり、人体検出ルーチンの検知開始に戻り、ステップＳ０１乃至Ｓ０６を繰り返す。
【００５５】
〔プラス側ポップコーンノイズ判別ルーチン〕
プラス側ポップコーンノイズ判別ルーチンは、ポップコーンノイズ（強電界輻射ノイズ、ホワイトノイズを含む。以下同じ）を判別するルーチンである。図５に示すように、このルーチンでは、まず電圧信号が第２のしきい値電圧を超えたか否かを１ｍｓ毎に確認するカウント値‘２４’を記憶部２２から呼び出し、メモリ・レジスタＣＮ１に設定する（ステップＳ１１）。
【００５６】
次に、コンパレータ２３に第２のしきい値電圧（２．８１Ｖ）をセットする（ステップＳ１２）。
【００５７】
その後、電圧信号が、現時点において第２のしきい値電圧を超えたか否かを判別する（ステップＳ１３）。ここで電圧信号が第２のしきい値電圧を超えていなければステップＳ１４に進み、越えていれば検出信号として‘Ｈ’を判別処理部２５に出力しステップＳ１６に進む。
【００５８】
ステップＳ１４では、カウント部からのクロックパルスに基づいて１ｍｓ待機するとともに、メモリ・レジスタＣＮ１に設定したカウント値を−１する。そして、メモリ・レジスタＣＮ１が０になったか否かを判別し（ステップＳ１５）、０になった場合はプラス側周囲環境ノイズ判別ルーチンに進み、０になっていない場合はステップＳ１３の前まで戻る。すなわち、プラス側ポップコーンノイズ判別ルーチンは、電圧信号が第２のしきい値電圧を超えたか否かを１ｍｓ間隔で２４回繰り返して確認する。これにより第１のしきい値電圧を超えた電圧信号が、２４ｍｓ以内に第２のしきい値電圧を超えた否かを確認でき、ポップコーンノイズか否か判別することができる。
【００５９】
つまり、ステップＳ１３において、電圧信号が第２のしきい値電圧を越えた場合はポップコーンノイズの可能性が高いことになる。ただし、既述したように１回確認しただけではポップコーンノイズか否かが確実ではない。例えば、赤外線センサユニット１０の至近距離で、手を振るような人体の動きがあると、赤外線センサ１２が出力する電圧信号を電圧増幅部１３で１万倍程度増幅しているため、ポップコーンノイズのように、立ち上がりが急峻な信号を出すことがある。このように立ち上がりが急峻な信号が、ポップコーンノイズか、手を振るような人体の動きかの判断するために、本実施形態では、電圧信号が第２のしきい値電圧を超えてから２００ｍｓ待って、第２のしきい値電圧をまだ超えているかを判別している。
【００６０】
よって、コンパレータ２３からの検出信号‘Ｈ’が判別処理部２５に入力されると、ステップＳ１６において２００ｍｓ待機する。その後、ステップＳ１７において電圧信号が第２のしきい値電圧を超えているか否かを再度判別する。ここで電圧信号が第２のしきい値電圧を超えていない（第２のしきい値電圧よりも低い）場合は、ポップコーンノイズであると確定し、電圧信号をキャンセルして検知開始に戻る。一方、第２のしきい値電圧を超えている場合は、手を振るような人体の動きがあると判別する。そして、赤外線式人体検知装置１に接続されている照明機器に、入出力部２１を介して人体検出信号を出力し（ステップＳ１８）、人体検出ルーチンに戻る。照明機器は、人体検出信号を受けて照明を点灯することができる。
【００６１】
〔プラス側周囲環境ノイズ判別ルーチン〕
プラス側周囲環境ノイズ判別ルーチンは、周囲環境ノイズを判別するルーチンである。図６に示すように、このルーチンでは、まずコンパレータ２３に第１のしきい値電圧をセットし（ステップＳ３１）、電圧信号が第１のしきい値電圧を超えているかを確認する（ステップＳ３２）。第１のしきい値電圧を超えていれば、検出信号‘Ｈ’を判別処理部２５に出力し、コンパレータ２３に第２のしきい値電圧をセットする（ステップＳ３３）。一方、第１のしきい値電圧を超えていなければ、電圧信号をキャンセルして検知開始に戻る。
【００６２】
その後、第２のしきい値電圧を超えたか否かを１０ｍｓ毎に確認するカウント値‘２０’を記憶部２２から呼び出し、メモリ・レジスタＣＮ２に設定する（ステップＳ３４）。さらに、電圧信号が第２のしきい値電圧を超えているか否かを１０ｍｓ毎に確認するカウント値‘１５’を記憶部２２から呼び出し、メモリ・レジスタＣＮ３に設定する（ステップＳ３５）。
【００６３】
次に電圧信号が、現時点において第２のしきい値電圧を超えたか否かを判別する（ステップＳ３６）。ここで電圧信号が第２のしきい値電圧を超えていなければステップＳ３７に進み、越えていれば検出信号として‘Ｈ’を判別処理部２５に出力しステップＳ３９に進む。
【００６４】
ステップＳ３７では、カウント部２４からのクロックパルスに基づいて１０ｍｓ待機するとともに、メモリ・レジスタＣＮ２に設定したカウント値を−１する。そして、メモリ・レジスタＣＮ２が０になったか否かを判別する（ステップＳ３８）。ここで、メモリ・レジスタＣＮ２が０になった場合とは、電圧信号が第１のしきい値電圧を通過してから第２のしきい値電圧を通過するまでに判別基準時間の最大時間２２４ｍｓ以上かかることになるため、周囲環境ノイズとなる。このため、ステップＳ３８においてＣＮ２が０になった場合は周囲環境ノイズであると確定し、電圧信号をキャンセルして検知開始に戻る。また０になっていない場合は、確認を繰り返すためステップＳ３６の前まで戻る。
【００６５】
一方、メモリ・レジスタＣＮ２のカウント値内に電圧信号が第２のしきい値電圧を越えた場合（ステップＳ３６で第２のしきい値電圧を越えた場合）は、人体の移動を検知した可能性が高いことになる。ただし、既述したように１回確認しただけでは人体の移動か否かが確実でないため、電圧信号が第２のしきい値電圧を超えている時間を再度確認して人体の移動か否かを判別する。
【００６６】
すなわち、コンパレータ２３からの検出信号‘Ｈ’が判別処理部２５に入力されると、ステップＳ３９において１０ｍｓ待機するとともに、メモリ・レジスタＣＮ３に設定したカウント値を−１する。次いで、メモリ・レジスタＣＮ３が０になったか否かを判別する（ステップＳ４０）。ここで、メモリ・レジスタＣＮ３が０でない場合は、ステップＳ３６の前まで戻り、電圧信号が第２のしきい値電圧を超えているか否かを新たに判別する。これをメモリ・レジスタＣＮ３が０になるまで繰り返し、メモリ・レジスタＣＮ３が０となった場合は、ステップＳ４１に進んで、電圧信号が第２のしきい値電圧を超えているか否かを再度判別する。このとき、電圧信号が第２のしきい値電圧を超えていない場合は、何らかのノイズであったと判別し電圧信号をキャンセルして検知開始に戻る。超えている場合は、人体の移動を検知したと判別し、ステップＳ４２に進む。
【００６７】
そして、赤外線式人体検知装置１に接続されている照明機器に、入出力部２１を介して人体検出信号を出力し（ステップＳ４２）、人体検出ルーチンに戻る。照明機器は、人体検出信号を受けて照明を点灯することができる。
【００６８】
〔マイナス側ポップコーンノイズ判別ルーチン〕
一方、人体検出ルーチンのステップＳ０６において、電圧信号が第３のしきい値電圧より下がり、マイナス側ポップコーンノイズ判別ルーチンに移った場合は、プラス側ポップコーンノイズ判別ルーチンのフローと同様に、ポップコーンノイズを判別するルーチンを実施する。図７に示すように、このルーチンでは、まず電圧信号が第４のしきい値電圧より下がったか否かを１ｍｓ毎に確認するカウント値‘２４’を記憶部２２から呼び出し、メモリ・レジスタＣＮ１に設定する（ステップＳ２１）。
【００６９】
次に、コンパレータ２３に第４のしきい値電圧（２．１８Ｖ）をセットする（ステップＳ２２）。
【００７０】
その後、電圧信号が、現時点において第４のしきい値電圧より下がったか否かを判別する（ステップＳ２３）。ここで電圧信号が第４のしきい値電圧より下がっていなければステップＳ２４に進み、下がっていればステップＳ２６に進む。
【００７１】
ステップＳ２４では、カウント部２４からのクロックパルスに基づいて１ｍｓ待機するとともに、メモリ・レジスタＣＮ１に設定したカウント値を−１する。そして、メモリ・レジスタＣＮ１が０になったか否かを判別し（ステップＳ２５）、０になった場合はマイナス側周囲環境ノイズ判別ルーチンに進み、０になっていない場合はステップＳ２３の前まで戻る。すなわち、マイナス側ポップコーンノイズ判別ルーチンもプラス側ポップコーンノイズ判別ルーチンと同様に、電圧信号が第４のしきい値電圧より下がったか否かを１ｍｓ間隔で２４回繰り返して確認する。これにより第３のしきい値電圧より下がった電圧信号が、２４ｍｓ以内に第４のしきい値電圧より下がった否か確認でき、ポップコーンノイズか否か判別することができる。
【００７２】
つまり、ステップＳ２３において、電圧信号が第４のしきい値電圧より下がった場合はポップコーンノイズの可能性が高いことになる。ただし、既述したように１回確認しただけではポップコーンノイズか否かが確実ではない。例えば、プラス側ポップコーンノイズ判別ルーチンで述べたように、手を振るような人体の動きがあると、ポップコーンノイズのように、立ち上がりが急峻な信号が出ることがある。このように立ち上がりが急峻な信号が、ポップコーンノイズか、手を振るような人体の動きかを判断するために、本実施形態では、電圧信号が第４のしきい値電圧より下がってから２００ｍｓ待って、第４のしきい値電圧よりまだ下がっているかを判別している。
【００７３】
よって、コンパレータ２３からの検出信号‘Ｈ’が判別処理部２５に入力されると、ステップＳ２６において２００ｍｓ待機する。その後、ステップＳ２７において電圧信号が第４のしきい値電圧より下がっているか否かを再度判別する。ここで電圧信号が第４のしきい値を超えている（第４のしきい値電圧よりも高い）場合は、ポップコーンノイズであると確定し、電圧信号をキャンセルして検知開始に戻る。一方、第４のしきい値電圧より下がっている場合は、手を振るような人体の動きがあると判別する。そして、赤外線式人体検知装置１に接続されている照明機器に、入出力部２１を介して人体検出信号を出力し（ステップＳ２８）、人体検出ルーチンに戻る。照明機器は、人体検出信号を受けて照明を点灯することができる。
【００７４】
〔マイナス側周囲環境ノイズ判別ルーチン〕
マイナス側周囲環境ノイズ判別ルーチンは、図８に示すように、プラス側周囲環境ノイズ判別ルーチンと同様のフローとなっており、まずコンパレータ２３に第３のしきい値電圧をセットし（ステップＳ５１）、電圧信号が第３のしきい値電圧より下がっているかを確認する（ステップＳ５２）。第３のしきい値電圧より下がっていれば、検出信号‘Ｈ’を判別処理部２５に出力し、コンパレータ２３に第４のしきい値電圧をセットする（ステップＳ５３）。一方、第３のしきい値電圧より下がっていなければ、電圧信号をキャンセルして検知開始に戻る。
【００７５】
その後、電圧信号が第４のしきい値電圧より下がったか否かを１０ｍｓ毎に確認するカウント値‘２０’を記憶部２２から呼び出し、メモリ・レジスタＣＮ２に設定する（ステップＳ５４）。さらに、電圧信号が第４のしきい値電圧より下がっているか否かを１０ｍｓ毎に確認するカウント値‘１５’を記憶部２２から呼び出し、メモリ・レジスタＣＮ３に設定する（ステップＳ５５）。
【００７６】
次に電圧信号が、現時点において第４のしきい値電圧より下がったか否かを判別する（ステップＳ５６）。ここで電圧信号が第４のしきい値電圧より下がっていなければステップＳ５７に進み、下がっていれば検出信号として‘Ｈ’を判別処理部２５に出力してステップＳ５９に進む。
【００７７】
ステップＳ５７では、カウント部２４からのクロックパルスに基づいて１０ｍｓ待機するとともに、メモリ・レジスタＣＮ２に設定したカウント値を−１する。そして、メモリ・レジスタＣＮ２が０になったか否かを判別する（ステップＳ５８）。ここで、メモリ・レジスタＣＮ２が０になった場合とは、電圧信号が第３のしきい値電圧を通過してから第４のしきい値電圧を通過するまでに判別基準時間の最大時間２２４ｍｓ以上かかることになるため、周囲環境ノイズとなる。このため、ステップＳ５８においてＣＮ２が０になった場合は周囲環境ノイズであると確定し、電圧信号をキャンセルして検知開始に戻る。また０になっていない場合は、確認を繰り返すためステップＳ５６の前まで戻る。
【００７８】
一方、メモリ・レジスタＣＮ２のカウント値内に電圧信号が第４のしきい値電圧より下がった場合（ステップＳ５６で第４のしきい値電圧より下がった場合）は、人体の移動を検知した可能性が高いことになる。ただし、既述したように１回確認しただけでは人体の移動か否かが確実でないため、電圧信号が第４のしきい値電圧より下がっている時間を再度確認して人体の移動か否かを判別する。
【００７９】
すなわち、コンパレータ２３からの検出信号‘Ｈ’が判別処理部２５に入力されると、ステップＳ５９において１０ｍｓ待機するとともに、メモリ・レジスタＣＮ３に設定したカウント値を−１する。次いで、メモリ・レジスタＣＮ３が０になったか否かを判別する（ステップＳ６０）。ここで、メモリ・レジスタＣＮ３が０でない場合は、ステップＳ５６の前まで戻り、電圧信号が第４のしきい値電圧より下がっているか否かを新たに判別する。これをメモリ・レジスタＣＮ３が０になるまで繰り返し、メモリ・レジスタＣＮ３が０となった場合は、ステップＳ６１に進んで、電圧信号が第４のしきい値電圧より下がっているか否かを再度判別する。このとき、電圧信号が第４のしきい値電圧を超えている場合は、何らかのノイズであったと判別し電圧信号をキャンセルして検知開始に戻る。下がっている場合は、人体の移動を検知したと判別し、ステップＳ６２に進む。
【００８０】
そして、赤外線式人体検知装置１に接続されている照明機器に、入出力部２１を介して人体検出信号を出力し（ステップ６２）、人体検出ルーチンに戻る。照明機器は、人体検出信号を受けて照明を点灯することができる。
【００８１】
以上のように、制御部２０は、電圧信号が第１のしきい値電圧を通過した時点を基準として、時間の計測を開始し、第２のしきい値電圧を通過するまで（または第３のしきい値電圧を通過した時点を基準として、時間の計測を開始し、第４のしきい値電圧を通過するまで）の計測時間に基づいて、人体の移動を判別することができる。これにより、赤外線式人体検知装置１は、ポップコーンノイズや周囲環境の変化等、各種の原因に広く対応して誤検知を防止でき、人体検知の高精度化を実現することができる。
【００８２】
また、制御部２０をワンチップマイコンによって構成しているので、ポップコーンノイズの影響を防止するための構成（例えば、ポップコーンノイズの検出を行う回路やフィルタ等）を設ける必要がなくなり、部品点数を少なくすることができる。その結果、回路をシンプルに構成することが可能となり、装置の製造工程を簡易化し、作業性の向上や製造コストの低減化等を図ることができる。
【００８３】
〔微動判別ルーチン〕
図９は、本発明の実施形態に係る赤外線式人体検知装置について人体の移動と存在を検知した場合の通常検知モードと微動検知モードの電圧信号を示す図であり、図１０は人体の存在の判別を行う微動検知モードのフローチャートである。
本実施形態の赤外線式人体検知装置１は、既述したようにトイレに人体が入室（移動）した場合に人体を検知して照明を点灯する。ここで、人体がトイレに入室して便座等に座った後は、一定時間大きな動きをしないことが多い。このように人体の動きがほとんどない場合、赤外線センサユニット１０が出力する電圧信号は、図９に示すように待機電圧を出力し続けることになる。しかし、人体が僅かに動いた場合（例えば、頭を動かす、体を揺する等）は、電圧信号が第１のしきい値電圧（または第３のしきい値電圧）を通過する小さな波形を形成する。
【００８４】
このため、本実施形態の赤外線式人体検知装置は、人体の移動を判別した後、更に赤外線センサユニット１０から出力される電圧信号が第１のしきい値電圧（または第３のしきい値電圧）を通過したとき、赤外線センサユニット１０の検知領域内に人体が存在すると判別する微動判別ルーチン（以下、微動検知モードともいう）を実施している。これにより人体が僅かに動いたことを検知して人体の存在を判別し、室内の照明の点灯を継続させることができる。
【００８５】
この微動検知モードは、上述した人体検出ルーチン、プラス側ポップコーンノイズ判別ルーチン、プラス側周囲環境ノイズ判別ルーチン、マイナス側ポップコーンノイズ判別ルーチン、マイナス側周囲環境ノイズ判別ルーチン等（以下、各ルーチンをまとめて通常検知モードという）による人体検出信号の出力にともなって、この通常検知モードから自動的に切り替わって一定時間実施される。なお通常検知モードの人体検出信号の出力時には、記憶部２２に人体検知済データが記憶される。
【００８６】
図１０に示すように、微動判別ルーチンは、人体検出ルーチンとほぼ同様のフローを実施する。検知開始後、まずコンパレータ２３に第１のしきい値電圧（２．６５Ｖ）をセットする（ステップＳ７１）。
【００８７】
次にコンパレータの出力条件、すなわち、制御部２０に入力される電圧信号が、第１のしきい値電圧または第２のしきい値電圧を越えた場合に、コンパレータ２３が検出信号として‘Ｈ’を判別処理部２５に出力するように設定する（ステップＳ７２）。
【００８８】
その後、電圧信号が、現時点において第１のしきい値電圧を超えたか否かを判別する（ステップＳ７３）。このとき第１のしきい値電圧を超えていれば、人体の存在を検知したことになり、検出信号‘Ｈ’を判別処理部２５に出力しステップＳ７４に進む。一方、第１のしきい値電圧を超えていなければ、ステップＳ７５に進む。
【００８９】
制御部２０のコンパレータ２３からの検出信号‘Ｈ’が判別処理部２５に入力されると、ステップＳ７４では、人体検知済データが記憶部２２に記憶されているか否かを確認し、記憶されていれば既に人体の移動を検知した後だと判別してステップＳ７９に進む。一方、人体検知済データが記憶部２２に記憶されていない場合は、プラス側ポップコーンノイズ判別ルーチンに移り、同ルーチンを実施する。
【００９０】
ステップＳ７５では、コンパレータ２３に第３のしきい値電圧（２．３４Ｖ）をセットする。次にコンパレータ２３の出力条件、すなわち、制御部２０に入力される電圧信号が、第３のしきい値電圧または第４のしきい値電圧より下がった場合に、コンパレータ２３が検出信号として‘Ｈ’を判別処理部２５に出力するように設定する（ステップＳ７６）。
【００９１】
その後、電圧信号が、現時点において第３のしきい値電圧より下がったか否かを判別する（ステップＳ７７）。このとき第３のしきい値電圧より下がっていれば、人体の存在を検知したことになり、検出信号‘Ｈ’を判別処理部２５に出力しステップＳ７８に進む。一方、第３のしきい値電圧より下がっていなければ、電圧信号に変化がないことになり、微動判別ルーチンの検知開始に戻り、ステップＳ７１乃至Ｓ７７を繰り返す。
【００９２】
検出信号‘Ｈ’が判別処理部２５に入力されると、人体検知済データが記憶部２２に記憶されているか否かを確認し（ステップＳ７８）、記憶されていれば既に人体の移動を検知した後だと判別してステップＳ７９に進む。一方、人体検知済データが記憶されていない場合は、マイナス側ポップコーンノイズ判別ルーチンに移り、同ルーチンを実施する。
【００９３】
ステップＳ７９では、赤外線式人体検知装置１に接続されている照明機器に、入出力部２１を介して人体検出信号を出力し、微動判別ルーチンに戻る。照明機器は、新たな人体検出信号を受けて照明の点灯を継続する。一方、一定時間経過するまでに人体検出信号の出力を受信しない場合は、人体が存在しないと判別でき、照明機器は自動的に消灯する。
【００９４】
このように制御部２０は、人体の移動を検知した後に微動判別ルーチンを実施することで、人体がトイレに入室しているときのみ、照明機器を継続して点灯させることができる。その結果、ユーザーにスイッチ操作を要求することがなく、且つ照明の消し忘れ等を防ぎ省エネルギー化につなげることができる。
【符号の説明】
【００９５】
１：赤外線式人体検知装置、
１０：赤外線センサユニット、１１：フレネルレンズ、１２：赤外線センサ、１３：電圧増幅部、
２０：制御部、２１：入出力部、２２：記憶部、２３：コンパレータ、２４：カウント部、２５：判別処理部
【図１】
2010216821.tif 000003
【図２】
2010216821.tif 000004
【図３】
2010216821.tif 000005
【図４】
2010216821.tif 000006
【図５】
2010216821.tif 000007
【図６】
2010216821.tif 000008
【図７】
2010216821.tif 000009
【図８】
2010216821.tif 000010
【図９】
2010216821.tif 000011
【図１０】
2010216821.tif 000012